【手続補正書】
【提出日】平成17年6月6日(2005.6.6)
【手続補正１】
【補正対象書類名】特許請求の範囲
【補正対象項目名】全文
【補正方法】変更
【補正の内容】
【特許請求の範囲】
【請求項１】
非ヒト動物の体の領域の外寄生生物の外寄生を処置する方法であって、予め湿らされたかまたは後に湿らせる領域に、実質的に無水の流体組成物を適用する工程であって、該流体組成物は、水と発熱的に反応して、外寄生生物が動かなくなるか、または殺されるのに十分な時間、高い温度を発生する、粒子状水不溶性無機物質を含有する、工程；および冒された外寄生生物を機械的に取り除く工程を包含する、方法。
【請求項２】
請求項１に記載の方法であって、ここで、前記外寄生生物がＰｅｄｉｃｕｌｕｓ  ｈｕｍａｎｕｓ  ｖａｒ  ｃａｐｉｔｉｓを含む、方法。
【請求項３】
請求項１に記載の方法であって、ここで、前記外寄生生物がＰｅｄｉｃｕｌｕｓ  ｈｕｍａｎｕｓ  ｖａｒ  ｃｏｒｐｏｒｉｓを含む、方法。
【請求項４】
請求項１に記載の方法であって、ここで、前記外寄生生物がＰｅｄｉｃｕｌｕｓ  ｈｕｍａｎｕｓ  ｖａｒ  ｐｕｂｉｓを含む、方法。
【請求項５】
請求項１に記載の方法であって、ここで、前記外寄生生物がノミ、マダニまたはダニを含む、方法。
【請求項６】
請求項１に記載の方法であって、ここで、前記外寄生生物が、梳く工程により除去される、方法。
【請求項７】
請求項１に記載の方法であって、ここで、前記組成物が、予め湿らされた領域に適用される、方法。
【請求項８】
請求項１に記載の方法であって、ここで、前記組成物中の活性成分が、粒子状の実質的に無水のシリカ、アルミノケイ酸塩、アルカリ土類金属酸化物またはそれらの任意の２以上の組合せを含む、方法。
【請求項９】
請求項１に記載の方法であって、ここで、前記組成物中の活性成分が、粒子状の実質的に無水のアルミノケイ酸塩を含む、方法。
【請求項１０】
請求項１に記載の方法であって、ここで、前記組成物が、粉末の形態、ローションの形態、クリームの形態、または流体加圧されたエアロゾルの形態である、方法。
【請求項１１】
請求項１に記載の方法であって、ここで、少なくとも約３７℃の温度が生成される、方法。
【請求項１２】
請求項１に記載の方法であって、ここで、約３７℃と約５５℃との間の温度が生成される、方法。
【請求項１３】
請求項１に記載の方法であって、ここで、前記冒された外寄生生物が、梳く工程により除去される、方法。
【請求項１４】
非ヒト動物の体の領域の外寄生生物の外寄生を処置する方法であって、処置されるべき領域を水で湿らせる工程；該湿った領域に、ある時間にわたって、外寄生生物が動かなくなるか、または殺される、高い温度を発生するのに十分な量の、水と発熱的に反応する粒子状水不溶性無機物質を含有する、実質的に無水の流体組成物を適用する工程；および冒された外寄生生物を機械的に取り除く工程を包含する、方法。
【請求項１５】
請求項１４に記載の方法であって、ここで、少なくとも約３７℃の温度が確立される、方法。
【請求項１６】
請求項１４に記載の方法であって、ここで、少なくとも約３７℃と約５５℃との間の温度が確立される、方法。
【請求項１７】
請求項１４に記載の方法であって、ここで、外寄生生物を殺すか、または動かなくするために十分な時間にわたって約３７℃〜約５５℃の温度が維持される、方法。
【請求項１８】
請求項１４に記載の方法であって、ここで、殺された外寄生生物または動かなくされた外寄生生物が、梳く工程により除去される工程をさらに包含する、方法。
【請求項１９】
請求項１４に記載の方法であって、ここで、前記組成物が、ローション、クリーム、または加圧されたエアロゾルである、方法。
【請求項２０】
非ヒト動物の体の領域の外寄生生物の外寄生を処置する方法であって、水で湿らされた領域に、実質的に無水の流体組成物を適用する工程であって、該流体組成物は、水と発熱的に反応して、外寄生生物が動かなくなるか、または殺されるのに十分な時間、少なくとも約３７℃の温度を発生する、粒子状水不溶性アルミノケイ酸塩を含有する、工程；および冒された外寄生生物を機械的に取り除く工程を包含する、方法。
【請求項２１】
請求項２０に記載の方法であって、ここで、殺された外寄生生物または動かなくされた外寄生生物が、梳く工程により除去される工程をさらに包含する、方法。
【請求項２２】
請求項２０に記載の方法であって、ここで、前記組成物が、ローション、クリーム、または加圧されたエアロゾルである、方法。
【請求項２３】
発熱的に水と反応する粒子状水不溶性無機物質を含む、実質的に無水の流体組成物であって、該組成物が動物の体またはヒトの体の予め湿らされたかもしくは後に湿らせる領域に適用される場合、該無機物質が、外寄生生物が動かなくなるか、または殺されるのに必要な時間にわたって、高い温度を発生するために十分な濃度で存在する、流体組成物。
【請求項２４】
請求項２３に記載の組成物であって、ここで、前記無機物質が、実質的に無水のシリカ、アルミノケイ酸塩、アルカリ土類金属酸化物またはそれらの任意の２以上の組合せを含む、組成物。
【請求項２５】
請求項２３に記載の組成物であって、ここで、前記組成物における活性成分が、粒子状の実質的に無水のアルミノケイ酸塩を含む、組成物。
【請求項２６】
請求項２３に記載の組成物であって、ここで、前記組成物が、ローションの形態、クリームの形態、泡の形態または加圧されたエアロゾルの形態である、組成物。
【請求項２７】
体の外寄生生物の外寄生を処置するためのキットであって、シラミ取りの櫛および請求項２３に記載の組成物をその中に有する容器を備える、キット。
【請求項２８】
外寄生生物の除去のための実質的に無水の流体組成物であって、約３０〜約５０重量％の実質的に無水のシリカ、アルミノケイ酸塩、アルカリ土類金属酸化物またはそれらの任意の２以上の組合せ、および約３０〜約６０重量％の軽鉱油または重鉱油、グリコール、もしくはグリセロールを含む、流体組成物。
【請求項２９】
請求項２８に記載の組成物であって、ここで、前記アルミノケイ酸塩が、ゼオライトを含む、組成物。
【請求項３０】
体の外寄生生物の外寄生を処置するためのキットであって、シラミ取りの櫛および請求項２８に記載の組成物をその中に有する容器を備える、キット。
【請求項３１】
外寄生生物の外寄生の処置のための実質的に無水の流体組成物を調製するための、発熱的に水と反応する粒子状水不溶性無機物質の使用。
【請求項３２】
請求項３１に記載の使用であって、ここで、前記無機物質が、実質的に無水のシリカ、アルミノケイ酸塩、アルカリ土類金属酸化物またはそれらの任意の２以上の組合せを含む、使用。
【請求項３３】
請求項３２に記載の使用であって、ここで、前記アルミノケイ酸塩が、ゼオライトを含む、使用。
【請求項３４】
請求項３１〜３３のいずれかに記載の使用であって、ここで、前記組成物が、ローションの形態、クリームの形態、泡の形態または加圧されたエアロゾルの形態である、使用。
【請求項３５】
ヒトの体または動物の体の領域の外寄生生物の外寄生を処置するための組成物であって、水と発熱的に反応して、外寄生生物が動かなくなるか、または殺されるのに十分な時間、高い温度を発生する、粒子状水不溶性無機物質を含有する、実質的に無水の流体組成物を包含する、組成物。
【請求項３６】
請求項３５に記載の組成物であって、ここで、前記外寄生生物がＰｅｄｉｃｕｌｕｓ  ｈｕｍａｎｕｓ  ｖａｒ  ｃａｐｉｔｉｓを含む、組成物。
【請求項３７】
請求項３５に記載の組成物であって、ここで、前記外寄生生物がＰｅｄｉｃｕｌｕｓ  ｈｕｍａｎｕｓ  ｖａｒ  ｃｏｒｐｏｒｉｓを含む、組成物。
【請求項３８】
請求項３５に記載の組成物であって、ここで、前記外寄生生物がＰｅｄｉｃｕｌｕｓ  ｈｕｍａｎｕｓ  ｖａｒ  ｐｕｂｉｓを含む、組成物。
【請求項３９】
請求項３５に記載の組成物であって、ここで、前記外寄生生物がノミ、マダニまたはダニを含む、組成物。
【請求項４０】
請求項３５に記載の組成物であって、ここで、前記組成物が、予め湿らされた領域への適用のための処方される、組成物。
【請求項４１】
請求項３５に記載の組成物であって、ここで、前記組成物中の活性成分が、粒子状の実質的に無水のシリカ、アルミノケイ酸塩、アルカリ土類金属酸化物またはそれらの任意の２以上の組合せを含む、組成物。
【請求項４２】
請求項３５に記載の組成物であって、ここで、前記組成物中の活性成分が、粒子状の実質的に無水のアルミノケイ酸塩を含む、組成物。
【請求項４３】
請求項３５に記載の組成物であって、ここで、前記組成物が、粉末の形態、ローションの形態、クリームの形態、または流体加圧されたエアロゾルの形態である、組成物。
【請求項４４】
請求項３５に記載の組成物であって、ここで、少なくとも約３７℃の温度が生成される、組成物。
【請求項４５】
請求項３５に記載の組成物であって、ここで、約３７℃と約５５℃との間の温度が生成される、組成物。
【請求項４６】
ヒトの体または動物の体の領域の外寄生生物の外寄生を処置するための組成物であって、ある時間にわたって、外寄生生物が動かなくなるか、または殺される、高い温度を発生するのに十分な量の、水と発熱的に反応する粒子状水不溶性無機物質を含有する、実質的に無水の流体組成物を包含する、組成物。
【請求項４７】
請求項４６に記載の組成物であって、ここで、少なくとも約３７℃の温度が確立される、組成物。
【請求項４８】
請求項４６に記載の組成物であって、ここで、約３７℃と約５５℃との間の温度が確立される、組成物。
【請求項４９】
請求項４６に記載の組成物であって、ここで、外寄生生物を殺すか、または動かなくするために十分な時間にわたって約３７℃〜約５５℃の温度が維持される、組成物。
【請求項５０】
請求項４６に記載の組成物であって、ここで、前記組成物が、ローション、クリーム、または加圧されたエアロゾルである、組成物。
【請求項５１】
ヒトの体または動物の体の領域の外寄生生物の外寄生を処置するための組成物であって、水と発熱的に反応して、外寄生生物が動かなくなるか、または殺されるのに十分な時間、少なくとも約３７℃の温度を発生する、粒子状水不溶性アルミノケイ酸塩を含有する、実質的に無水の流体組成物を包含する、組成物。
【請求項５２】
請求項５１に記載の組成物であって、ここで、前記組成物が、ローション、クリーム、または加圧されたエアロゾルである、組成物。